(57)【要約】【課題】シールドケースを被せる工程の効率を向上させて、コストの低減を図る。【解決手段】各シールドケース１１をそれぞれの連鎖帯１２により一列に連結しておき、各シールドケース１１の上板１４裏面の窪み１４ｃに接着剤２６をそれぞれ塗布してから、各シールドケース１１にそれぞれの通信ユニット２１を押し込んで、接着剤２６を硬化させ、各シールドケース１１の連鎖帯１２を切断して、複数の赤外線データ通信モジュール３１を得ている。従って、一度に、複数の赤外線データ通信モジュール３１を組み立てることができ、シールドケース１１を被せる工程の効率が向上し、コストを低減することができる。【選択図】図６
2004335881.tif 000002
【特許請求の範囲】
【請求項１】
シールドケースを発光素子もしくは受光素子を含む通信ユニットに被せた赤外線データ通信モジュールの製造方法において、
複数のシールドケース間に、各シールドケースを相互に連結する連鎖帯を設けておき、各シールドケースをそれぞれの通信ユニットに被せてから、各シールドケース間の連鎖帯を切断して、各シールドケースを分離することを特徴とする赤外線データ通信モジュールの製造方法。
【請求項２】
シールドケースの側壁の縁に連鎖帯を接続し、連鎖帯の接続部位近傍で該側壁の縁に切り欠きを形成したことを特徴とする請求項１に記載の赤外線データ通信モジュールの製造方法。
【請求項３】
通信ユニットとシールドケースの内壁を接着材により接着しており、接着剤が塗布される窪みをシールドケースの内壁に設けたことを特徴とする請求項１に記載の赤外線データ通信モジュールの製造方法。
【請求項４】
通信ユニットをシールドケース内で押え付けるための突起を該シールドケースの内壁に設けたことを特徴とする請求項１に記載の赤外線データ通信モジュールの製造方法。
【請求項５】
突起をシールドケースの内壁の複数箇所に設けたことを特徴とする請求項４に記載の赤外線データ通信モジュールの製造方法。
【請求項６】
シールドケースを通信ユニットに被せた状態で、通信ユニットの端子をシールドケース外部に露呈させるための開口部を該シールドケースに設けたことを特徴とする請求項１に記載の赤外線データ通信モジュールの製造方法。
【請求項７】
シールドケースの開口部縁から通信ユニットの端子へと延びる接触端子を該シールドケースに設けたことを特徴とする請求項１に記載の赤外線データ通信モジュールの製造方法。
【請求項８】
シールドケースの接触端子先端を細らせたことを特徴とする請求項７に記載の赤外線データ通信モジュールの製造方法。
【発明の詳細な説明】
【０００１】
【発明の属する技術分野】
本発明は、例えばパーソナルコンピュータと周辺機器間でのデータ通信に用いられる赤外線データ通信モジュールの製造方法に関する。
【０００２】
【従来の技術】
この種の赤外線データ通信モジュールは、ＩｒＤＡ（Ｉｎｆｒａｒｅｄ  Ｄａｔａ  Ａｓｓｏｃｉａｔｉｏｎ）により規格化されている赤外線通信を行なうために用いられ、パーソナルコンピュータと周辺機器間のデータ通信だけではなく、携帯電話機、時計、携帯型ゲーム機等のデータ通信にも用いられている。更に、今後は、その適用分野が広がるものと期待されている。
【０００３】
また、この様な赤外線データ通信モジュールは、電子機器に搭載されて、データ通信に用いられることから、電磁ノイズ等の影響を受け難くするために、シールドケースを備えるものが多い。
【０００４】
図１１（ａ）及び（ｂ）は、従来の赤外線データ通信モジュールのシールドケースを示す底面図及び側面図である。このシールドケース１０１は、金属製であって、４つの側壁１０２と上板１０３を有し、その底部を開放されている。１つの側壁１０２には、シールドケース１０１を接地するための接地片１０４を設けている。また、上板１０３には、２つの孔１０３ａ，１０３ｂを形成している。
【０００５】
図１２は、従来の赤外線データ通信モジュールのシールドケース及び通信ユニットを示す側面図である。この通信ユニット１１１は、プリント配線基板（Ｐｒｉｎｔｅｄ  Ｗｉｒｉｎｇ  Ｂｏａｒｄ（ＰＷＢと称す））１１２上に、赤外線信号を出射する発光素子（図示せず）及び赤外線信号を受光する受光素子（図示せず）を搭載して、発光素子及び受光素子上にそれぞれのレンズ１１３，１１４を被せ、樹脂モールド体１１５をモールド成形により形成して、発光素子及び受光素子を樹脂モールド体１１５内に封止したものである。
【０００６】
図１３（ａ）及び（ｂ）は、従来の赤外線データ通信モジュールを示す側面図及び平面図である。
【０００７】
この赤外線データ通信モジュール１２１は、図１１（ａ）に示す様にシールドケース１０１の上板１０３裏面中央に接着剤１０５を塗布してから、図１２に示す様にシールドケース１０１を通信ユニット１１１に被せて、通信ユニット１１１の各レンズ１１３，１１４をシールドケース１１１の上板１０３の各孔１０３ａ，１０３ｂから突出させると共に、シールドケース１０１の上板１０３裏面中央の接着剤１０５を通信ユニット１１１上面に押し付け、更に赤外線データ通信モジュール１２１そのものを例えば恒温槽等内で加熱して、接着剤１０５を硬化させたものである（特許文献１を参照）。
【０００８】
【特許文献１】
特開平１０−２３３４７１号公報
【０００９】
【発明が解決しようとする課題】
ところで、従来は、図１２に示す様に１つのシールドケース１０１を１つの通信ユニット１１１に被せていた。このため、多数の赤外線データ通信モジュール１２１を製造するにしても、各赤外線データ通信モジュール１２１別に、シールドケース１０１を通信ユニット１１１に被せる工程を行なわねばならず、この工程に長い時間を費やし、コストの増大を招いていた。
【００１０】
また、通信ユニット１１１に対するシールドケース１０１の取り付け位置にバラツキを生じ易かった。このため、通信ユニット１１１のプリント配線基板１１２をパーソナルコンピュータや周辺機器等の本体基板にセットしたときに、シールドケース１０１の接地片１０４が本体基板の接地点からずれてしまい、シールドケース１０１を接地することができないことがあった。この場合は、シールドケース１０１のシールド効果が低減し、赤外線データ通信モジュール１２１の特定劣化にも繋がった。
【００１１】
そこで、本発明は、上記従来の問題点に鑑みてなされたものであり、シールドケースを被せる工程の効率を向上させて、コストの低減を図ることができ、またシールドケースの取り付け位置のバラツキを抑えることが可能な赤外線データ通信モジュールの製造方法を提供することを目的とする。
【００１２】
【課題を解決するための手段】
上記課題を解決するために、本発明は、シールドケースを発光素子もしくは受光素子を含む通信ユニットに被せた赤外線データ通信モジュールの製造方法において、複数のシールドケース間に、各シールドケースを相互に連結する連鎖帯を設けておき、各シールドケースをそれぞれの通信ユニットに被せてから、各シールドケース間の連鎖帯を切断して、各シールドケースを分離している。
【００１３】
この様な本発明の製造方法によれば、各シールドケースを連鎖帯により相互に連結しておき、各シールドケースをそれぞれの通信ユニットに被せてから、各シールドケース間の連鎖帯を切断している。このため、一度に、複数の赤外線データ通信モジュールを組み立てることができ、シールドケースを被せる工程の効率が向上し、コストを低減することができる。
【００１４】
また、本発明においては、シールドケースの側壁の縁に連鎖帯を接続し、連鎖帯の接続部位近傍で該側壁の縁に切り欠きを形成している。
【００１５】
この様に連鎖帯の接続部位近傍でシールドケース側壁の縁に切り欠きを形成しておけば、連鎖帯をシールドケース側壁から容易に切り離すことができる。
【００１６】
更に、本発明においては、通信ユニットとシールドケースの内壁を接着材により接着しており、接着剤が塗布される窪みをシールドケースの内壁に設けている。
【００１７】
この様に接着剤が塗布される窪みをシールドケースの内壁に設けておけば、接着材が流れず、接着材の位置決めが容易になり、通信ユニットとシールドケース間の接着を確実なものにすることができる。
【００１８】
また、本発明においては、通信ユニットをシールドケース内で押え付けるための突起を該シールドケースの内壁に設けている。あるいは、突起をシールドケースの内壁の複数箇所に設けている。
【００１９】
この様な突起を設けておけば、シールドケースを樹脂モールド体に被せたときに、シールドケース内壁の突起が通信ユニットに押し当てられて、シールドケースが通信ユニットに対して正確に位置決め固定される。
【００２０】
更に、本発明においては、シールドケースを通信ユニットに被せた状態で、通信ユニットの端子をシールドケース外部に露呈させるための開口部を該シールドケースに設けている。
【００２１】
この場合は、シールドケースの開口部を通じて、通信ユニットの端子を外部接続することが可能になる。
【００２２】
また、本発明においては、シールドケースの開口部縁から通信ユニットの端子へと延びる接触端子を該シールドケースに設けている。あるいは、シールドケースの接触端子先端を細らせている。
【００２３】
この場合は、シールドケースの接触端子が通信ユニットの端子へと延びて接触する。これにより、シールドケースを通信ユニットの接地点に接続することができる。また、シールドケースの接触端子先端を細らせているので、この接触端子の半田付けが容易になる。
【００２４】
【発明の実施の形態】
以下、本発明の実施形態を添付図面を参照して詳細に説明する。
【００２５】
図１（ａ）及び（ｂ）は、本発明の一実施形態におけるシールドケースを示す底面図及び側面図である。本実施形態では、複数のシールドケース１１をそれぞれの連鎖帯１２により一列に連結している。
【００２６】
各シールドケース１１は、金属製であって、４つの側壁１３ａ，１３ｂ，１３ｃ，１３ｄ及び上板１４を有し、その底部を開放されている。各連鎖帯１２は、シールドケース１１の側壁１３ｂもしくは１３ｄの縁に接続されている。図２に示す様にシールドケース１１の側壁１３ｂもしくは１３ｄの縁と連鎖帯１２の接続部位近傍では、側壁１３ｂもしくは１３ｄの縁に切り欠き１５を形成している。
【００２７】
各シールドケース１１の側壁１３ａには、それぞれのシールドケース１１を接地するための接地片１６を設けている。また、上板１４には、２つの孔１４ａ，１４ｂを形成している。更に、図３に示す様に上板１４の裏面には、深さ０．０５ｍｍ程度の窪み１４ｃを形成している。
【００２８】
図４は、本実施形態における通信ユニットを示す側面図である。この通信ユニット２１は、プリント配線基板（Ｐｒｉｎｔｅｄ  Ｗｉｒｉｎｇ  Ｂｏａｒｄ（ＰＷＢと称す））２２上に、赤外線信号を出射する発光素子（図示せず）及び赤外線信号を受光する受光素子（図示せず）を搭載して、発光素子及び受光素子上にそれぞれのレンズ２３，２４を被せ、樹脂モールド体２５をモールド成形により形成して、発光素子及び受光素子を樹脂モールド体２５内に封止したものである。
【００２９】
図５（ａ）及び（ｂ）は、本実施形態における赤外線データ通信モジュールを示す側面図及び平面図である。
【００３０】
この赤外線データ通信モジュール３１は、シールドケース１１を通信ユニット２１に被せて、通信ユニット２１の各レンズ２３，２４をシールドケース１１の上板１４の各孔１４ａ，１４ｂから突出させたものである。
【００３１】
次に、図６（ａ）〜（ｃ）を参照しつつ、本実施形態の製造方法を説明する。
【００３２】
まず、図６（ａ）に示す様に各シールドケース１１の底部を上方向に向けて、各シールドケース１１をシールドケース治具４１のそれぞれの孔４１ａに嵌合させる。各シールドケース１１の間隔とシールドケース治具４１の各孔４１ａの間隔が等しく、各シールドケース１１を同時に嵌合することができる。
【００３３】
そして、図６（ｂ）に示す様に各シールドケース１１の上板１４裏面の窪み１４ｃに接着剤２６をそれぞれ塗布する。このとき、接着剤２６は、窪み１４ｃ内に溜り、ここから流れ出すことはない。このため、接着剤２６の位置決めが確実になされ、後で述べるシールドケース１１と通信ユニット２１間の接着が確実なものとなる。
【００３４】
この後、図６（ｃ）に示す様に各シールドケース１１にそれぞれの通信ユニット２１を押し込む。これにより、各シールドケース１１のいずれについても、通信ユニット２１の各レンズ２３，２４がシールドケース１１の上板１４の各孔１４ａ，１４ｂから突出すると共に、シールドケース１１の上板１４裏面中央の接着剤２６が通信ユニット２１上面に押し付けられる。各シールドケース１１が一列に配列されていることから、各通信ユニット２１を押し込む作業は容易である。
【００３５】
更に、各赤外線データ通信モジュール３１そのものを例えば恒温槽等内で加熱して、接着剤２６を硬化させて、各シールドケース１１と各通信ユニット２１を接着させる。
【００３６】
最後に、図６（ｄ）に示す様にシールドケース１１毎に、切断刃（金型等）３２を用いて、連鎖帯１２をシールドケース１１から切り離す。このとき、図３に示した様にシールドケース１１の側壁１３ｂもしくは１３ｄの縁と連鎖帯１２の接続部位近傍で、切り欠き１５を形成していることから、連鎖帯１２を容易に切り離すことができる。これにより、各シールドケースが分離されて、複数の赤外線データ通信モジュール３１が得られる。
【００３７】
この様に本実施形態の製造方法では、各シールドケース１１をそれぞれの連鎖帯１２により一列に連結しておき、各シールドケース１１の上板１４裏面の窪み１４ｃに接着剤２６をそれぞれ塗布してから、各シールドケース１１にそれぞれの通信ユニット２１を押し込んで、接着剤２６を硬化させ、各シールドケース１１の連鎖帯１２を切断して、複数の赤外線データ通信モジュール３１を得ている。従って、一度に、複数の赤外線データ通信モジュール３１を組み立てることができ、シールドケース１１を被せる工程の効率が向上し、コストを低減することができる。
【００３８】
ところで、シールドケース１１は、その形状を多様に変更することが可能である。例えば、図７（ａ）及び（ｂ）に示す様に通信ユニット２１Ａの側壁に各入出力端子５１を配置している場合は、図８（ａ）及び（ｂ）に示す様にシールドケース１１Ａの側壁１３ｃに開口部１３ｅを設け、シールドケース１１Ａの開口部１３ｅを通じて、通信ユニット２１Ａ側壁の各端子５１を外部接続することができる様にしても構わない。
【００３９】
また、図８（ａ）及び（ｂ）に示す様にシールドケース１１Ａの側壁１３ｃに２つの突起１３ｆを形成しておき、図７（ａ）及び（ｂ）に示す様にシールドケース１１Ａの各突起１３ｆを通信ユニット２１Ａ側壁に押し当てる。これにより、シールドケース１１Ａが通信ユニット２１Ａに対して位置決め固定され、シールドケースの取り付け位置のバラツキが抑えられる。
【００４０】
更に、図９に示す様にシールドケース１１Ａの開口部１３ｅ縁から下方に延びる接触端子１３ｇを設けて、接触端子１３ｇを通信ユニット２１Ａ側壁の接地用の端子５１に接触させても構わない。このとき、シールドケース１１Ａの各突起１３ｆにより、シールドケース１１Ａが通信ユニット２１Ａに対して位置決め固定されているので、接触端子１３ｇが接地用の端子５１に確実に接触する。また、図１０に示す様に接触端子１３ｇ先端を細らせているので、接触端子１３ｇを端子５１に容易に半田付けすることができる。
【００４１】
尚、本発明は、上記実施形態に限定されるものではなく、多様に変形することができる。例えば、連鎖帯の形状や長さ、シールドケースに対する連鎖帯の連結位置等を適宜に変更しても構わない。また、連鎖帯の断面形状は、円、楕円、矩形等、如何なる形状であっても構わない。
【００４２】
【発明の効果】
以上説明した様に本発明の製造方法によれば、各シールドケースを連鎖帯により相互に連結しておき、各シールドケースをそれぞれの通信ユニットに被せてから、各シールドケース間の連鎖帯を切断している。このため、一度に、複数の赤外線データ通信モジュールを組み立てることができ、シールドケースを被せる工程の効率が向上し、コストを低減することができる。
【図面の簡単な説明】
【図１】（ａ）及び（ｂ）は、本発明の一実施形態におけるシールドケースを示す底面図及び側面図である。
【図２】図１のシールドケースの側壁と連鎖帯の接続部位近傍を拡大して示す図である。
【図３】図１のシールドケースの上板を示す断面図である。
【図４】本実施形態における通信ユニットを示す側面図である。
【図５】（ａ）及び（ｂ）は、本実施形態における赤外線データ通信モジュールを示す側面図及び平面図である。
【図６】（ａ）〜（ｄ）は、本実施形態の製造方法を示す図である。
【図７】（ａ）及び（ｂ）は、赤外線データ通信モジュールの変形例を示す底面図及び側面図である。
【図８】（ａ）及び（ｂ）は、シールドケースの変形例を示す底面図及び側面図である。
【図９】シールドケースの他の変形例を被せた赤外線データ通信モジュールを示す側面図である。
【図１０】図９のシールドケースの接触端子を拡大して示す図である。
【図１１】（ａ）及び（ｂ）は、従来の赤外線データ通信モジュールのシールドケースを示す底面図及び側面図である。
【図１２】従来の赤外線データ通信モジュールのシールドケース及び通信ユニットを示す側面図である。
【図１３】（ａ）及び（ｂ）は、従来の赤外線データ通信モジュールを示す側面図及び平面図である。
【符号の説明】
１１    シールドケース
１２    連鎖帯
１３ａ，１３ｂ，１３ｃ，１３ｄ    側壁
１４    上板
１５    切り欠き
１６    接地片
２１    通信ユニット
２２    プリント配線基板
２３，２４    レンズ
２５    樹脂モールド体
３１    赤外線データ通信モジュール
【図１】
2004335881.tif 000003
【図２】
2004335881.tif 000004
【図３】
2004335881.tif 000005
【図４】
2004335881.tif 000006
【図５】
2004335881.tif 000007
【図６】
2004335881.tif 000008
【図７】
2004335881.tif 000009
【図８】
2004335881.tif 000010
【図９】
2004335881.tif 000011
【図１０】
2004335881.tif 000012
【図１１】
2004335881.tif 000013
【図１２】
2004335881.tif 000014
【図１３】
2004335881.tif 000015